(57)【特許請求の範囲】
【請求項１】
複数の色信号のうち、近点側に解像度を持つ一の色信号による画像処理を行う処理回路と、
上記処理回路で一の色信号により画像処理された信号に対して点像分布関数（ＰＳＦ：Point spread function）の逆関数をかけて、強調処理を行う強調処理部と、を有し、
上記処理回路は、
複数の色信号のうち、近点側に解像度を持つ一の色信号によるホワイトバランス処理を行うホワイトバランス処理回路と、
ホワイトバランス処理を受けた一の色信号に対して色再現のリニア変換のための処理を行うリニアマトリクス回路と、を含み、
上記強調処理部は、
上記ホワイトバランス処理回路でホワイトバランス処理を受けた一の色信号または上記リニアマトリクス回路で色再現のリニア変換のための処理を受けた一の色信号に対して上記強調処理を行う
画像信号処理回路。
【請求項２】
上記処理回路は、
上記リニアマトリクス回路の出力と上記強調処理部の出力を混合するミキサを含み、
上記強調処理部は、
上記ホワイトバランス処理回路でホワイトバランス処理を受けた一の色信号に対して上記強調処理を行う
請求項１記載の画像信号処理回路。
【請求項３】
複数の色信号による画像処理を行いカラー画像を得る第１の信号処理部と、
上記処理回路を含む第２の信号処理部と、を有し、
上記第２の信号処理部の上記処理回路は、
複数の色信号のうち、近点側に解像度を持つ一の色信号によるホワイトバランス処理を行う上記ホワイトバランス処理回路と、
ホワイトバランス処理を受けた一の色信号に対して色再現のリニア変換のための処理を行う上記リニアマトリクス回路と、を含み、
上記強調処理部は、
上記リニアマトリクス回路で色再現のリニア変換のための処理を受けた一の色信号に対して上記強調処理を行う
請求項１記載の画像処理回路。
【請求項４】
上記第１の信号処理部の出力と上記第２の信号処理部の出力を選択的に取り出し可能なスイッチを含む
請求項３記載の画像信号処理回路。
【請求項５】
上記一の色信号は、
色の３原色である赤色（Ｒ）、緑色（Ｇ）、青色（Ｂ）のうちのＢである
請求項１から４のいずれか一に記載の画像信号処理回路。
【請求項６】
撮像素子と、
上記撮像素子に入射光を導く光学系と、
上記撮像素子の出力信号を処理する画像信号処理回路と、を有し、
上記画像信号処理回路は、
複数の色信号のうち、近点側に解像度を持つ一の色信号による画像処理を行う処理回路と、
上記処理回路で一の色信号により画像処理された信号に対して点像分布関数（ＰＳＦ：Point spread function）の逆関数をかけて、強調処理を行う強調処理部と、を有し、
上記処理回路は、
複数の色信号のうち、近点側に解像度を持つ一の色信号によるホワイトバランス処理を行うホワイトバランス処理回路と、
ホワイトバランス処理を受けた一の色信号に対して色再現のリニア変換のための処理を行うリニアマトリクス回路と、を含み、
上記強調処理部は、
上記ホワイトバランス処理回路でホワイトバランス処理を受けた一の色信号または上記リニアマトリクス回路で色再現のリニア変換のための処理を受けた一の色信号に対して上記強調処理を行う
撮像装置。
【請求項７】
上記処理回路は、
上記リニアマトリクス回路の出力と上記強調処理部の出力を混合するミキサを含み、
上記強調処理部は、
上記ホワイトバランス処理回路でホワイトバランス処理を受けた一の色信号に対して上記強調処理を行う
請求項６記載の撮像装置。
【請求項８】
複数の色信号による画像処理を行いカラー画像を得る第１の信号処理部と、
上記処理回路を含む第２の信号処理部と、を有し、
上記第２の信号処理部の上記処理回路は、
複数の色信号のうち、近点側に解像度を持つ一の色信号によるホワイトバランス処理を行う上記ホワイトバランス処理回路と、
ホワイトバランス処理を受けた一の色信号に対して色再現のリニア変換のための処理を行う上記リニアマトリクス回路と、を含み、
上記強調処理部は、
上記リニアマトリクス回路で色再現のリニア変換のための処理を受けた一の色信号に対して上記強調処理を行う
請求項６記載の撮像装置。
【請求項９】
上記第１の信号処理部の出力と上記第２の信号処理部の出力を選択的に取り出し可能なスイッチを含む
請求項８記載の撮像装置。
【請求項１０】
上記一の色信号は、
色の３原色である赤色（Ｒ）、緑色（Ｇ）、青色（Ｂ）のうちのＢである
請求項６から９のいずれか一に記載の撮像装置。
【請求項１１】
複数の色信号のうち、近点側に解像度を持つ一の色信号による画像処理を行う画像処理ステップと、
上記処理ステップで一の色信号により画像処理された信号に対して点像分布関数（ＰＳＦ：Point spread function）の逆関数をかけて、強調処理を行う強調処理ステップと、を有し、
上記画像処理ステップは、
複数の色信号のうち、近点側に解像度を持つ一の色信号によるホワイトバランス処理を行うホワイトバランス処理ステップと、
ホワイトバランス処理を受けた一の色信号に対して色再現のリニア変換のための処理を行うリニアマトリクス処理ステップと、を含み、
上記強調処理ステップでは、
上記ホワイトバランス処理ステップでホワイトバランス処理を受けた一の色信号または上記リニアマトリクス処理ステップで色再現のリニア変換のための処理を受けた一の色信号に対して上記強調処理を行う
画像信号処理方法。
【請求項１２】
複数の色信号のうち、近点側に解像度を持つ一の色信号による画像処理を行う画像処理ステップと、
上記画像処理ステップで一の色信号により画像処理された信号に対して点像分布関数（ＰＳＦ：Point spread function）の逆関数をかけて、強調処理を行う強調処理ステップと、を有し、
上記画像処理ステップは、
複数の色信号のうち、近点側に解像度を持つ一の色信号によるホワイトバランス処理を行うホワイトバランス処理ステップと、
ホワイトバランス処理を受けた一の色信号に対して色再現のリニア変換のための処理を行うリニアマトリクス処理ステップと、を含み、
上記強調処理ステップでは、
上記ホワイトバランス処理ステップでホワイトバランス処理を受けた一の色信号または上記リニアマトリクス処理ステップで色再現のリニア変換のための処理を受けた一の色信号に対して上記強調処理を行う
画像信号処理をコンピュータに実行させるプログラム。
【発明の詳細な説明】
【技術分野】
【０００１】
本発明は、ＣＣＤ(Charge Coupled Device)、ＣＭＯＳ(Complementary Metal Oxide Semiconductor)センサなどの固体撮像素子を搭載した、たとえば携帯電子機器に適用が可能な画像信号処理回路、撮像装置、画像信号処理方法、およびプログラムに関するものである。
【背景技術】
【０００２】
近年、ＱＲ（Quick Response）コードなどの２次元バーコードや名刺情報等の特殊情報を携帯カメラなどで読む機会が増えている。
【０００３】
解像度が高く、光学サイズも大きい一般的なカメラ構成では、ＱＲコードなどのデータを取得するために、１０ｃｍ〜２０ｃｍという近距離で被写体を読む必要があり、ＡＦレンズを使わなければ読み込むことが困難である。
【０００４】
そこで、現在、被写体および背景のフォーカスを取得するために、被写界深度拡張（ＥＤＯＦ：Extended depth of field）レンズとＥＤＯＦ系画像信号処理回路を搭載したカメラの需要が増えてきている。
なお、被写界深度とは、カメラで被写体にピントを合わせたときに、被写体前後の範囲の中でピントが合っている幅のことをいう。
【発明の概要】
【発明が解決しようとする課題】
【０００５】
しかしながら、上述したカメラにおいては、ＱＲコード等を取得するために、ＱＲコード用のＥＤＯＦレンズおよびＥＤＯＦ系画像信号処理回路が必要になり、回路の増大および高コストになるという不利益がある。
さらに、通常のレンズ設計では、色収差が発生する問題もある。
【０００６】
本発明は、専用のＥＤＯＦ系レンズおよび信号処理回路を必要とせずに、通常レンズでバーコード等の特殊な情報を精度良く読み取ることが可能な画像信号処理回路、撮像装置、画像信号処理方法、およびプログラムを提供することにある。
【課題を解決するための手段】
【０００７】
本発明の第１の観点の画像信号処理回路は、複数の色信号のうち、近点側に解像度を持つ一の色信号による画像処理を行う処理回路と、上記処理回路で一の色信号により画像処理された信号に対して点像分布関数（ＰＳＦ：Point spread function）の逆関数をかけて、強調処理を行う強調処理部と、を有し、上記処理回路は、複数の色信号のうち、近点側に解像度を持つ一の色信号によるホワイトバランス処理を行うホワイトバランス処理回路と、ホワイトバランス処理を受けた一の色信号に対して色再現のリニア変換のための処理を行うリニアマトリクス回路と、を含み、上記強調処理部は、上記ホワイトバランス処理回路でホワイトバランス処理を受けた一の色信号または上記リニアマトリクス回路で色再現のリニア変換のための処理を受けた一の色信号に対して上記強調処理を行う。
【０００８】
本発明の第２の観点の撮像装置は、撮像素子と、上記撮像素子に入射光を導く光学系と、上記撮像素子の出力信号を処理する画像信号処理回路と、を有し、上記画像信号処理回路は、複数の色信号のうち、近点側に解像度を持つ一の色信号による画像処理を行う処理回路と、上記処理回路で一の色信号により画像処理された信号に対して点像分布関数（ＰＳＦ：Point spread function）の逆関数をかけて、強調処理を行う強調処理部と、を有し、上記処理回路は、複数の色信号のうち、近点側に解像度を持つ一の色信号によるホワイトバランス処理を行うホワイトバランス処理回路と、ホワイトバランス処理を受けた一の色信号に対して色再現のリニア変換のための処理を行うリニアマトリクス回路と、を含み、上記強調処理部は、上記ホワイトバランス処理回路でホワイトバランス処理を受けた一の色信号または上記リニアマトリクス回路で色再現のリニア変換のための処理を受けた一の色信号に対して上記強調処理を行う。
【０００９】
本発明の第３の観点の画像信号処理方法は、複数の色信号のうち、近点側に解像度を持つ一の色信号による画像処理を行う画像処理ステップと、上記処理ステップで一の色信号により画像処理された信号に対して点像分布関数（ＰＳＦ：Point spread function）の逆関数をかけて、強調処理を行う強調処理ステップと、を有し、上記画像処理ステップは、複数の色信号のうち、近点側に解像度を持つ一の色信号によるホワイトバランス処理を行うホワイトバランス処理ステップと、ホワイトバランス処理を受けた一の色信号に対して色再現のリニア変換のための処理を行うリニアマトリクス処理ステップと、を含み、上記強調処理ステップでは、上記ホワイトバランス処理ステップでホワイトバランス処理を受けた一の色信号または上記リニアマトリクス処理ステップで色再現のリニア変換のための処理を受けた一の色信号に対して上記強調処理を行う。
【００１０】
本発明の第４の観点は、複数の色信号のうち、近点側に解像度を持つ一の色信号による画像処理を行う画像処理ステップと、上記画像処理ステップで一の色信号により画像処理された信号に対して点像分布関数（ＰＳＦ：Point spread function）の逆関数をかけて、強調処理を行う強調処理ステップと、を有し、上記画像処理ステップは、複数の色信号のうち、近点側に解像度を持つ一の色信号によるホワイトバランス処理を行うホワイトバランス処理ステップと、ホワイトバランス処理を受けた一の色信号に対して色再現のリニア変換のための処理を行うリニアマトリクス処理ステップと、を含み、上記強調処理ステップでは、上記ホワイトバランス処理ステップでホワイトバランス処理を受けた一の色信号または上記リニアマトリクス処理ステップで色再現のリニア変換のための処理を受けた一の色信号に対して上記強調処理を行う画像信号処理をコンピュータに実行させるプログラムである。
【発明の効果】
【００１１】
本発明によれば、専用のＥＤＯＦ系レンズおよび信号処理回路を必要とせずに、通常レンズでバーコード等の特殊な情報を精度良く読み取ることができる。
【図面の簡単な説明】
【００１２】
【図１】本発明の実施形態に係る撮像装置の要部の構成例を示すブロック図である。
【図２】ＱＲコードを示す図である。
【図３】本実施形態の単位画素の一例を示す回路図である。
【図４】本実施形態の固体撮像素子の画素アレイ部の画素配列の一例を模式的に示す図である。
【図５】本発明の第１の実施形態に係る画像信号処理回路の構成例を示すブロック図である。
【図６】ＥＤＯＦレンズから得られた距離別の変調伝達関数（ＭＴＦ：Modulation Transfer Function）とそれに対応するＥＤＯＦ（逆関数）係数から算出したＧの結果を示す図である。
【図７】ＥＤＯＦレンズから得られた距離別のＭＴＦとそれに対応するＥＤＯＦ（逆関数）係数から算出したＢの結果を示す図である。
【図８】ＱＲコードのドットサイズから割り出される最高周波数を表にまとめて示す図である。
【図９】レンズ例から引き出された被写体距離別波長別ＭＴＦデータと０．２ｍｍ/dot時、０．２５ｍｍ/dot時、０．３ｍｍ/dot時、０．４ｍｍ/dot時の周波数を表にまとめて示す図である。
【図１０】本実施形態に係る撮像装置によりＱＲコードを撮像し、Ｂのみを使用した処理結果を示す図である。
【図１１】比較例として通常の撮像装置にＱＲコードを撮像し、Ｒ、Ｇ、Ｂを使用した処理結果を示す図である。
【図１２】本発明の第２の実施形態に係る画像信号処理回路の構成例を示すブロック図である。
【発明を実施するための形態】
【００１３】
以下、本発明の実施形態を図面に関連付けて説明する。
なお、説明は以下の順序で行う。
１．撮像装置の構成例
２．第１の実施形態（画像信号処理回路の第１の構成例）
３．第２の実施形態（画像信号処理回路の第２の構成例）
【００１４】
図１は、本発明の実施形態に係る撮像装置の要部の構成例を示すブロック図である。
【００１５】
本撮像装置１０は、図１に示すように、レンズ系１１、たとえばＣＭＯＳセンサにより形成される撮像素子１２、および画像信号処理回路１３を有する。
【００１６】
本撮像装置１０は、たとえば図２に示すようなＱＲコードを専用のＥＤＯＦレンズおよびＥＤＯＦ系信号処理回路を必要とせずに、通常レンズおよびＥＤＯＦレンズでバーコード等の特殊な情報を精度良く読み取ることが可能に構成されている。
後で詳述するが、撮像装置１０は、近点側に解像度を持つ青色（Ｂ）信号を使った処理および点像分布関数（ＰＳＦ：Point spread function）の逆関数をかけることで通常レンズおよびＥＤＯＦレンズでバーコードを読ませることが可能となっている。
【００１７】
レンズ系１１は、ＱＲコード等の被写体像を撮像素子１２に入射させる。
レンズ系１１は、たとえば色の３原色である赤色（Ｒ）、緑色（Ｇ）、青色（Ｂ）のうち、近点の解像度がＢで高い収差をもったレンズが適用可能である。
【００１８】
撮像素子１２は、たとえばセンサ単位画素が所定の配列形態をもってアレイ状に配列されている。
また、撮像素子１２には、画素配列の各行（ロウ）に転送選択線、リセット線、セレクト線が配線され、画素配列の各列（カラム）に信号線が配線されている。
【００１９】
図３は、本実施形態の単位画素の一例を示す回路図である。図３では、ＣＭＯＳセンサを一例として示している。
【００２０】
図３の単位画素１２０は、フォトダイオード１２１、転送トランジスタ１２２、増幅トランジスタ１２３、セレクトトランジスタ１２４、リセットトランジスタ１２５、およびフローティングノードＮＤ１２１を有している。
【００２１】
フォトダイオード１２１は、入射光をその光量に応じた電荷量の信号電荷（たとえば電子）に光電変換して蓄積する。
転送トランジスタ１１２は、フォトダイオード１２１のカソードとフローティングノードＮＤ１２１との間に接続され、ゲートが転送選択線ＴＲＦＬに接続されている。転送トランジスタ１２２は、導通（オン）することにより、フォトダイオード１２１に蓄積されている信号電荷をフローティングノードＮＤ１２１に転送する機能を有している。
増幅トランジスタ１２３とセレクトトランジスタ１２４は電源電位ＶＤＤと信号線ＳＧＮＬとの間に直列に接続されている。
増幅トランジスタ１２３はゲートがフローティングノードＮＤ１２１に接続され、フローティングノードＮＤ１２１の電位を増幅しセレクトトランジスタ１２４を介して信号線ＳＧＮＬに出力する。
セレクトトランジスタ１２４のゲートはセレクト線ＳＥＬＬに接続されている。
リセットトランジスタ１２５は、ソースがフローティングノードＮＤ１２１に接続され、ドレインが所定電位線に接続され、ゲートがリセット線ＲＳＴＬに接続され、フローティングノードＮＤ１２１の電位をリセットする機能を有している。
【００２２】
図４は、本実施形態の画素アレイ部の画素配列の一例を模式的に示す図である。
本実施形態において、撮像素子の色フィルタの配列としては、色再現性が良好な、色の３原色のうち緑（Ｇ）を２つ、赤（Ｒ）、青（Ｂ）を一つずつ用いたベイヤー配列が適用される。
このベイヤー配列は、色よりも輝度の解像度を重視した配列である。
【００２３】
なお、図示しないが撮像素子１２の出力段にプリ処理部が配置されてもよい。
この場合、プリ処理部は、撮像素子１２から読み出されたアナログ画像情報に対して標本化処理、量子化処理を行い、アナログ信号からデジタル信号に変換（Ａ／Ｄ変換）して画像信号処理回路１３に出力する。
このプリ処理部の機能は、撮像素子１２に持たせることも可能である。
【００２４】
画像信号処理回路１３は、入力されたＲ，Ｇ，Ｂ画像信号のうちの一の信号、本実施形態では近点側に解像度を持つＢ信号を使った処理およびＰＳＦの逆関数ｋをそのＢ信号にかけることで、通常のレンズ系でＱＲコード等を再現する。
【００２５】
＜２．第１の実施形態＞
［画像信号処理回路の第１の構成例］
図５は、本発明の第１の実施形態に係る画像信号処理回路の構成例を示すブロック図である。
【００２６】
図５の画像信号処理回路１３は、ホワイトバランス（ＷＢ）処理回路１３１、デモザイク（ＤＭ）リニアマトリクス回路１３２、強調処理部としてのアパーチャーコントロール（アパコン：ＡＰ））処理部１３３、およびミキサ１３４を有する。
【００２７】
なお、アパーチャーコントロールとは、画像の高周波成分を強調することで輪郭を強調させる処理をいい、以下ではアパコンとして称することとする。
【００２８】
ＷＢ処理回路１３１は、Ｒ，Ｇ，Ｂ画像信号を受けて、Ｒ＝０、Ｇ＝０、Ｂ＝１としてＢ信号のみでホワイトバランス処理を行い、その結果をＤＭリニアマトリクス回路１３２に供給する。
また、ＷＢ処理回路１３１は、ＷＢゲインでアパコン処理部１３３に出力する信号をＹ＝Ｂにする。
【００２９】
ＤＭリニアマトリクス回路１３２は、ホワイトバランス処理を受けたＢ信号に対して色再現のリニア変換のための処理を行う。
ＤＭリニアマトリクス回路１３２は、リニアマトリクスでＲ＝Ｂ、Ｇ＝Ｂとする。
本実施形態では、Ｒ＝００１、Ｇ＝００１、Ｂ＝００１に設定される。
【００３０】
アパコン処理部１３３は、ホワイトバランス処理を受けたＢ信号に対してＰＳＦの逆関数ｋ、具体的には逆ＰＳＦフィルタ係数Ｆｋを掛け合わせ、その結果をミキサ１３４に出力する。
【００３１】
ミキサ１３４は、ＤＭリニアマトリクス回路１３２で処理された信号に、アパコン処理部１３３で逆ＰＳＦフィルタ係数Ｆｋを掛け合わされた信号を混合する。
この場合、Ｂのみのアパコン成分がＢのみのＹ信号に混合される。
【００３２】
このように、本実施形態においては、画像信号処理回路１３でＢ信号成分のみを用いて各種処理を行うことにより、専用のＥＤＯＦ系レンズおよび信号処理回路を必要とせずに、通常レンズでバーコード等の特殊な情報を精度良く読み取ることが可能である。
以下、Ｂ信号を用いる理由等について述べる。
【００３３】
図６は、ＥＤＯＦレンズから得られた距離別の変調伝達関数（ＭＴＦ：Modulation Transfer Function）とそれに対応するＥＤＯＦ（逆関数）係数から算出したＧの結果を示す図である。
図７は、ＥＤＯＦレンズから得られた距離別のＭＴＦとそれに対応するＥＤＯＦ（逆関数）係数から算出したＢの結果を示す図である。
【００３４】
図６および図７は、ＥＤＯＦの信号処理の特性をＧとＢを例にとって表現している。
図６および図７では、レンズの特性とＥＤＯＦフィルタ特性を乗算することにより、出力特性を求めている。
結果として、０点を持たない特性のものがよい。
ＱＲコードの画像を取得する際、ＱＲコードのボケが０点を示している。０点以外はボケがないことを示している。
また、最大（ＭＡＸ）周波数の値が高ければ高いほどよい。
Ｂの解像度は通常センサでは、特性上、半分しか利用できない。
Ｇの場合は、特性上７０％ぐらい利用できるのに対し、０点を持たない条件が２５ｃｍ(バーコードからレンズまでの距離)の場合に０点がなくなる。
現在の条件として、２０ｃｍが限界であり、その結果Ｇは使えない。これは、画素ピッチと画郭とバーコードのドットピッチによって決まる。
そこで、本実施形態では０点がほとんどないＢを用いる。
【００３５】
図８は、ＱＲコードのドットサイズから割り出される最高周波数を表にまとめて示す図である。
図９は、レンズ例から引き出された被写体距離別波長別ＭＴＦデータと０．２ｍｍ/dot時、０．２５ｍｍ/dot時、０．３ｍｍ/dot時、０．４ｍｍ/dot時の周波数を表にまとめて示す図である。
【００３６】
図８は、被写体からレンズまでの距離によるＲ,Ｇ,Ｂ毎のナイキスト値を表した図を示している。
図８は、図９で矢印で示される最高周波数を表にまとめた図である。
図９は、図８の結果をまとめた表を示している。
被写体からレンズまでの距離として、１０ｃｍ、１３ｃｍ、１５ｃｍ、１８ｃｍ、２０ｃｍ、２５ｃｍが採用されている。
【００３７】
図８等からわるように、被写体からレンズまでの距離として、１０ｃｍ、１３ｃｍ、１５ｃｍ、１８ｃｍ、２０ｃｍ、２５ｃｍ、特に２０ｃｍ以下において、Ｂ信号の最大（ＭＡＸ）周波数の値が高い。
【００３８】
したがって、本実施形態のように、通常レンズによるＢ（青）のみ処理、並びにバーコードおよびビジネスカード専用ＥＤＯＦ処理（ＣＢ ＥＤＯＦ）を行うことにより、ＱＲコードや名刺等の特殊情報を精度良く読み取ることができる。
【００３９】
図１０は、本実施形態に係る撮像装置によりＱＲコードを撮像し、Ｂのみを使用した処理結果を示す図である。
図１１は、比較例として通常の撮像装置にＱＲコードを撮像し、Ｒ、Ｇ、Ｂを使用した処理結果を示す図である。
図１０および図１１から、本実施形態に係る撮像装置１０は、通常撮像装置に比較して、ＱＲコードや名刺等の特殊情報を精度良く読み取ることができることがわかる。
【００４０】
＜３．第２の実施形態＞
［画像信号処理回路の第２の構成例］
図１２は、本発明の第２の実施形態に係る画像信号処理回路の構成例を示すブロック図である。
【００４１】
本第２の実施形態に係る画像信号処理回路１３Ａが第１の実施形態に係る画像信号処理回路１３と異なる点は、以下の通りである。
本第２の実施形態に係る画像信号処理回路１３Ａでは、通常のＲＧＢ画像信号を用いてカラー画像を得る第１の信号処理部１４と、ＱＲコードや名刺等の特殊情報を処理するための第２の信号処理部１５を有している。
【００４２】
第１の信号処理部１４は、通常のホワイトバランス（ＷＢ）処理回路１４１、デモザイク（ＤＭ）リニアマトリクス回路１４２、アパコン（ＡＰ）処理部１４３、およびミキサ１４４を有する。
第１の信号処理部１４は、Ｒ、Ｇ、Ｂ信号を用いた、ホワイトバランス処理、ＤＭリニアマトリクス処理、アパコン処理、および混合処理が行われてカラー画像を得る。
第１の信号処理部１４の出力段に輝度信号（Ｙ）とクロマ信号（Ｃ）とを分離するＹ／Ｃ分離部１６を有する。
Ｙ／Ｃ分離部１６の出力にはクロマ処理部１７および輝度処理部１８が配置されている。
そして、輝度処理部１８の入力段には、Ｙ／Ｃ分離部１６による第１の信号処理部１４の輝度信号および第２の信号処理部１５の出力信号のいずれかを選択して輝度処理部１８に入力させるスイッチ１９が配置されている。
【００４３】
第２の信号処理部１５は、たとえばＱＲコード等のバーコード（ＢＣ）の処理専用のＢＣ用ＷＢ処理回路１５１、ＢＣ用リニアマトリクス回路１５２、およびＢＣ用アパコン処理部１５３を有する。
第２の信号処理部１５では、第１の実施形態と同様に、ＷＢ処理回路１５１でＢのみの信号による処理を行い、リニアマトリクス回路１５２およびアパコン処理部（ＡＰ）１５３でも同様にＢのみの信号による処理を行う。
【００４４】
このように、第２の実施形態の画像信号処理回路１３Ａでは、通常処理を行う第１の信号処理部１４に加えて、ＱＲコード用の第２の信号処理部１５を設けることで、さらに、精度のよい処理を実行できる。
第１の実施形態の画像信号処理回路１３の出力は出力が白黒になってしまう。
これに対して、第２の実施形態の画像信号処理回路１３Ａでは、カラー画像を出力しつつ、ＱＲコード等を読ませるためにクロマ信号は通常処理を行い、Ｙ信号はＢ信号に特化した信号にスイッチ１９で切り替えて置き換える。
この場合、サンプリングレートは下がるが、光学情報の周波数成分が高いので、マクロ画像はシャープに出力される。
これにより、マクロ画像にも十分な発色を与えた画像を作ることができる。
バーコード等の情報は、Ｙ信号を用いることで実現可能である。
【００４５】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【符号の説明】
【００４６】
１０・・・撮像装置、１１・・・レンズ系、１２・・・撮像素子、１３，１３Ａ・・・画像信号処理回路、１３１・・・ホワイトバランス（ＷＢ）処理回路、１３２・・・デモザイク（ＤＭ）リニアマトリクス回路、１３３・・・アパーチャーコントロール（アパコン：ＡＰ）処理部、１３４・・・ミキサ、１４・・・第１の信号処理部、１５・・・第２の信号処理部、１６・・・Ｙ／Ｃ分離部、１７・・・クロマ処理部、１８・・・輝度処理部、１９・・・スイッチ。
【図１】
0005564977.tif 000002
【図２】
0005564977.tif 000003
【図３】
0005564977.tif 000004
【図４】
0005564977.tif 000005
【図５】
0005564977.tif 000006
【図６】
0005564977.tif 000007
【図７】
0005564977.tif 000008
【図８】
0005564977.tif 000009
【図９】
0005564977.tif 000010
【図１２】
0005564977.tif 000011
【図１０】
0005564977.tif 000012
【図１１】
0005564977.tif 000013